Podtech/llm-jp-corpus-v4-ja_patent huggingface dataset:
【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
図柄を可変表示する可変表示手段と、内部当選の判定を抽選により行う内部当選判定手段と、遊戯者に対して内部当選の成立を伝えるための演出パターンが複数設定されており、複数の演出パターンの中からある演出パターンを抽選により決定する演出動作決定手段と、決定された演出パターンに基づく演出動作を内部当選に基づく当たり役の動作が開始される前に実行する演出実行手段と、判定された内部当選に基づいて前記可変表示部を制御する可変表示制御手段と、を備えることを特徴とする遊戯機。
【請求項２】
複数の図柄を円周上に配置して回動可能とした複数組の回動体と、回動体の回動を開始させる開始スイッチと、回動体の回動を停止させる停止スイッチと、内部当選の判定を抽選により行う内部当選判定手段と、判定された内部当選について設定されている複数の演出パターンの候補からある演出パターンを抽選により決定する演出動作決定手段と、決定された演出パターンに基づく動作を内部当選に基づく当たり役の動作が開始される前に開始する演出実行手段と、判定された内部当選に基づいて前記回動体を制御する回動体制御手段と、を備えることを特徴とする遊戯機。
【請求項３】
前記演出の動作が行われる当たり役が複数存在し、前記演出パターンの少なくとも一つがそれぞれの当たり役に対応されている請求項１又は２記載の遊戯機。
【請求項４】
前記当たり役として、クレジットの払い出しが増加される第１態様と、この払い出しの増加が連続される第２態様とが設定され、前記演出パターンのうち少なくとも一つは、第２態様が前記内部当選判定手段において判定された時に、他の演出パターンよりも高い期待値をもって出現するように前記演出動作決定手段において決定される請求項３記載の遊戯機。
【請求項５】
前記演出パターンとして二つのパターンが存在し、前記演出動作決定手段における当たり役毎の演出パターンを決定する確率が次のように設定されている請求項４記載の遊戯機。
前記第１態様： 第１演出パターンの確率：Ａ、第２演出パターンの確率：Ｂ前記第２態様： 第１演出パターンの確率：Ｃ、第２演出パターンの確率：ＤＡ＋Ｂ＝Ｃ＋Ｄ＝１Ａ＞Ｃ, Ｄ＞Ｂ
【請求項６】
前記演出実行手段は、前記演出動作が、前記第１態様又は第２態様のいずれかの内部当選の成立が判定された後クレジットの払い出しが実行されなかった時に、開始されるように動作する請求項４記載の遊戯機。
【請求項７】
前記演出実行手段は、前記当たり役の動作が開始されるとこの演出動作を終了させるように構成されてなる請求項１乃至６のいずれか一項記載の遊戯機。
【請求項８】
前記演出実行手段は、前記演出を、内部当選の判定の後、最初に可変表示部が停止したときに開始させるように構成されてなる請求項１乃至７のいずれか一項記載の遊戯機。
【請求項９】
前記演出実行手段は、演出用端末として遊戯機正面にあるランプを備え、このランプの点灯挙動を前記演出パターン毎に異なるように制御可能に構成されている請求項１又は２記載の遊戯機。
【請求項１０】
前記演出実行手段は、演出用端末として音声発生装置を備え、この音声発生挙動を前記演出パターン毎に異なるように制御可能に構成されている請求項１又は２記載の遊戯機。
【請求項１１】
正面に図柄を表示するための表示部と、図柄の変化を開始させ、かつその変化を停止させる手段を備える遊戯機の制御手段であって、内部当選の判定を抽選により行う内部当選判定手段と、遊戯者に対して内部当選の成立を伝えるための演出パターンが複数設定されており、複数の演出パターンの中からある演出パターンを抽選により決定する演出動作決定手段と、決定された演出パターンに基づく演出動作を少なくとも内部当選に基づく当たり役の動作が開始される前に実行する演出実行手段と、判定された内部当選に基づいて前記図柄の成立を制御する手段と、を備える制御手段。
【請求項１２】
当たり役の決定手段と、この当たり役に応じて図柄回転ドラムの停止図柄を制御する回路とを備え、当たり役としてメダルの払い出しを増加させるボーナスゲームが設定され、かつこのボーナスゲームにレギュラーボーナスとビックボーナスの複数が設定されてなるメダル遊戯装置であって、ボーナスゲームの成立が前記当たり役決定手段で決定された際に、これを遊戯者に伝達する演出が実行される出力装置を備えるとともに、この演出には複数の態様が存在し、さらに、それぞれの態様が所定の期待値をもって前記レギュラーボーナスの成立又はビックボーナスの成立に対応されているメダル遊戯機。
【請求項１３】
前記演出の態様には、ビックボーナスに対する期待値が高い場合に出現するパターンと、その出現に対する期待値がこれよりも低い場合に出現する他のパターンとが存在する請求項１２記載のメダル遊戯機。
【手続補正書】
【提出日】平成17年7月12日(2005.7.12)
【手続補正１】
【補正対象書類名】明細書
【補正対象項目名】請求項１０
【補正方法】変更
【補正の内容】
【請求項１０】
担体を段階ｄ）でアルカリ金属化合物、好ましくはアルカリ金属カルボキシレート、特に好ましくは酢酸カリウムの水溶液で含浸処理する請求項１〜９のいずれか一つに記載の方法。
【手続補正２】
【補正対象書類名】明細書
【補正対象項目名】０００４
【補正方法】変更
【補正の内容】
【０００４】
それ故に、酢酸ビニル製造用のより有効な触媒の開発においては、触媒活性を持つ貴金属が担体粒子のシェル部に存在しそして他方、担体粒子のコア部には貴金属が実質的に存在していない触媒を提供する試みがなされてきた。この様なシェル型触媒は、原則として担体物質に可溶性貴金属化合物を含浸させ、不溶性貴金属化合物の析出後に担体にアルカリ性化合物を作用させそして最後に還元して貴金属とすることによって製造できる。
【手続補正３】
【補正対象書類名】明細書
【補正対象項目名】００５７
【補正方法】変更
【補正の内容】
【００５７】
本発明の触媒で達成できる高い選択率並びに高い活性率は実地において２通りに利用することができる：
先ず第一に、既存の装置において他の全ての反応条件が同じであるもとで容積単位および時間単位当りにより多い量の酢酸ビニルを製造することが可能とされる。選択率が高いために反応器から取り出される生成物混合物は酢酸ビニルの割合が多くそして副生成物、特に二酸化炭素が少ない。これによって後処理、即ち酢酸ビニルの単離が容易になる。何故ならば、例えば、分離すべき二酸化炭素の量が僅かでありそしてそれ故に二酸化炭素の分離に伴い連れ出されるエチレンの損失が僅かになるからである。この様に反応原料が節約される。酢酸ビニルの製造に続く生成物混合物の主たる後処理は例えばヨーロッパ特許出願公開（Ａ）第４２３，６５８号明細書に説明されている。
【手続補正４】
【補正対象書類名】明細書
【補正対象項目名】００７１
【補正方法】変更
【補正の内容】
【００７１】
実施例７
２．６９ｇ（０．００８２モル）のＫ2 ＰｄＣｌ4 および０．９６ｇ（０．００２５モル）のＫＡｕＣｌ4 を４０ｍＬの脱イオン水に一緒に溶解する。この溶液を静かに動かしながら６５．５ｇの担体物質に完全に適用する。こうして前処理した担体を、１．８９ｇ（０．０３４モル）の水酸化カリウムを１５０ｍＬの蒸留水に溶解した溶液中に導入し、この溶液中で室温で２．５時間、５回転／分の回転数で運動させる。その後に反応混合物を１２時間放置する。次いで担体をＫＯＨ溶液から分離する。この湿った担体を、１８．８４ｇ（０．１２モル）の過炭酸ナトリウムを含有する最初に６０℃に加熱された１５０ｍＬの水溶液と接触させる。反応を完結するために反応混合物を次いで直接的にウオーターバスで８５℃に加熱する。次いで全部の反応混合物を反応を完結するために８５℃で３．５時間、回転式蒸発器中で１分当り５回転の回転速度で運動させる。この反応混合物を約１２時間放置し、その後に脱イオン水で塩化物不含状態まで洗浄する。
【手続補正５】
【補正対象書類名】明細書
【補正対象項目名】００７３
【補正方法】変更
【補正の内容】
【００７３】
実施例８
２．６９ｇ（０．００８２モル）のＫ2 ＰｄＣｌ4 および０．９６ｇ（０．００２５モル）のＫＡｕＣｌ4 を４０ｍＬの脱イオン水に一緒に溶解する。この溶液を静かに動かしながら６５．５ｇの担体物質に完全に適用する。こうして前処理した担体を、１．１５ｇ（０．０２９モル）の水酸化ナトリウムおよび９．９４ｇの３０％濃度過酸化水素溶液（０．０８８モル＝２．９８ｇの過酸化水素に相当する）を１５０ｍＬの蒸留水に溶解した溶液中に導入し、全部の反応混合物を反応を完結するために８５℃で３．５時間、回転式蒸発器中で１分当り５回転の回転速度で運動させる。この反応混合物を約１２時間放置し、その後に脱イオン水で塩化物不含状態まで洗浄する。
【手続補正書】
【提出日】平成17年7月11日(2005.7.11)
【手続補正１】
【補正対象書類名】明細書
【補正対象項目名】請求項８
【補正方法】変更
【補正の内容】
【請求項８】
担体を段階ｄ）でアルカリ金属化合物、好ましくはアルカリ金属カルボキシレート、特に好ましくは酢酸カリウムの水溶液で含浸処理する請求項１に記載の方法。
【手続補正２】
【補正対象書類名】明細書
【補正対象項目名】００３５
【補正方法】変更
【補正の内容】
【００３５】
方法IIの変法Ａ）によれば、未乾燥の担体粒子は第二の固定用溶液と接触させ、その際に該溶液の量は担体をちょうど覆うのに少なくとも十分であるべきである。アルカリ固定用溶液を担体粒子に、吸収させるために注ぎかけ、そしてこの溶液を次いで１６時間まで、しかしながら少なくとも２時間、好ましくは少なくとも４時間放置する。
【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
ゲーム画面に表示されるコース上で、複数の移動体が順位を競い合うゲームを行うゲーム装置において、
プレーヤを撮影する撮影手段と、
各移動体の移動位置表示用のコースマップを生成するコースマップ生成手段と、
を含み、
前記コースマップ生成手段は、
撮影されたプレーヤの画像を、前記移動体の移動位置と対応づけて前記コースマップ上に表示する処理を行うことを特徴とするゲーム装置。
【請求項２】
他のゲーム装置との間でデータの送受信を行い、ゲーム画面に表示されるコース上で、各ゲーム装置のプレーヤが操作する移動体が順位を競い合うマルチプレーヤゲームを行うゲーム装置において、
プレーヤを撮影する撮影手段と、
撮影データを他のゲーム装置との間で送受信する手段と、
各移動体の移動位置表示用のコースマップを生成するコースマップ生成手段と、
を含み、
前記コースマップ生成手段は、
撮影された各プレーヤの画像を、各プレーヤの操作する移動体の移動位置と対応づけて前記コースマップ上に表示する処理を行うことを特徴とするゲーム装置。
【請求項３】
請求項１、２のいずれかにおいて、
前記コースマップ上に表示されるプレーヤの撮影画像は、プレーヤの顔画像であることを特徴とするゲーム装置。
【請求項４】
請求項１〜３のいずれかにおいて、
前記コースマップ生成手段は、
前記コースマップをゲーム画面の一部として生成し表示することを特徴とするゲーム装置。
【請求項５】
互いにデータの送受信を行い、ゲーム空間内に設定されたコース上で、各ゲーム装置のプレーヤが操作する移動体が順位を競い合うマルチプレーヤゲームを行う複数のゲーム装置と、
前記各ゲーム装置からデータを受信しマルチプレーヤゲームの中継表示を行う中継装置と、
を含むゲームシステムにおいて、
前記各ゲーム装置は、
プレーヤを撮影する撮影手段を含み、撮影画像データを少なくとも前記中継装置に送信するように形成され、
前記中継装置は、
受信した各プレーヤの撮影画像を、各プレーヤの操作する移動体の移動位置と対応づけて前記コースのコースマップ上に表示することを特徴とするゲームシステム。
【請求項６】
ゲーム画面に表示されるコース上で、複数の移動体が順位を競い合うゲームを行うためのプログラムが記憶された情報記憶媒体であって、
前記プログラムは、コンピュータを、
撮像手段で撮像されたプレーヤの画像を取り込むための処理を行う手段と、
取り込まれたプレーヤの画像を、前記移動体の移動位置と対応づけて、ゲーム画面の一部を構成するコースマップ上に表示するための処理を行う手段と、
して機能させることを特徴とする情報記憶媒体。
【請求項７】
他のゲーム装置との間でデータの送受信を行い、ゲーム画面に表示されるコース上で、各ゲーム装置のプレーヤが操作する移動体が順位を競い合うマルチプレーヤゲームをゲーム装置のコンピュータに実行させるためのプログラムが記憶された情報記憶媒体であって、
前記プログラムは、コンピュータを、
撮像手段で撮像されたプレーヤの画像を取り込むための処理を行う手段と、
撮影データを他のゲーム装置との間で送受信するための処理を行う手段と、
取り込まれた各プレーヤの画像を、各プレーヤの操作する移動体の移動位置と対応づけて、ゲーム画面の一部を構成するコースマップ上に表示するための処理を行う手段と、
して機能させることを特徴とする情報記憶媒体。
【手続補正２】
【補正対象書類名】明細書
【補正対象項目名】００１６
【補正方法】変更
【補正の内容】
【００１６】
また、本発明は、
ゲーム画面に表示されるコース上で、複数の移動体が順位を競い合うゲームを行うためのプログラムが記憶された情報記憶媒体であって、
前記プログラムは、コンピュータを、
撮像手段で撮像されたプレーヤの画像を取り込むための処理を行う手段と、
取り込まれたプレーヤの画像を、前記移動体の移動位置と対応づけて、ゲーム画面の一部を構成するコースマップ上に表示するための処理を行う手段と、
して機能させることを特徴とする。
【手続補正３】
【補正対象書類名】明細書
【補正対象項目名】００１７
【補正方法】変更
【補正の内容】
【００１７】
又、本発明は、
他のゲーム装置との間でデータの送受信を行い、ゲーム画面に表示されるコース上で、各ゲーム装置のプレーヤが操作する移動体が順位を競い合うマルチプレーヤゲームをゲーム装置のコンピュータに実行させるためのプログラムが記憶された情報記憶媒体であって、
前記プログラムは、コンピュータを、
撮像手段で撮像されたプレーヤの画像を取り込むための処理を行う手段と、
撮影データを他のゲーム装置との間で送受信するための処理を行う手段と、
取り込まれた各プレーヤの画像を、各プレーヤの操作する移動体の移動位置と対応づけて、ゲーム画面の一部を構成するコースマップ上に表示するための処理を行う手段と、
して機能させることを特徴とする。
【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
少なくとも第１の方向及びこれと交差する第２の方向へ組み合わせて移動自在に形成されたキャラクタ移動用の入力手段と、
前記入力手段からの入力信号に基づき、ゲーム空間内のキャラクタ及び仮想カメラの少なくとも一方が前記第１及び第２の方向の組み合わせと対応する方向に移動するゲーム画面を演算し表示する処理手段と、
を含むことを特徴とするゲーム装置。
【請求項２】
請求項１において、
前記入力手段は、
ゲーム画面を表示するディスプレイの前方に設けられ、前記ディスプレイに向けた奥行き方向を前記第１の方向とし、第１の方向と水平面内で直交する方向を第２の方向とすることを特徴とするゲーム装置。
【請求項３】
請求項１，２のいずれかにおいて、
前記処理手段は、
前記入力手段からの第２の方向の入力信号に基づき、前記キャラクタ及び仮想カメラの少なくとも一方が第１の方向を向いた状態で第２の方向へ移動するゲーム画面を演算することを特徴とするゲーム装置。
【請求項４】
請求項１〜３のいずれかにおいて、
前記入力手段は、
少なくとも前記第１及び第２の方向に移動自在に基体に取り付けられた移動体と、
前記移動体上に設けられ、ゲーム画面上のターゲットに向きを合わせシューティングするシューティングディバイスとを含み、
前記処理手段は、
前記シューティングディバイスの向きに基づき、前記キャラクタ及び仮想カメラの少なくとも一方の向きを変化させることを特徴とするゲーム装置。
【請求項５】
請求項４において、
前記シューティングディバイスは、
その向きが可変となるように前記移動体に取り付けられ、
前記処理手段は、
前記シューティングディバイスの向きに前記キャラクタ及び前記仮想カメラの少なくとも一方の向きを追従させることを特徴とするゲーム装置。
【請求項６】
請求項１〜５のいずれかにおいて、
前記入力手段は、
所与の中立点に位置を復帰させる復元力付与手段を含むことを特徴とするゲーム装置。
【請求項７】
請求項４，５のいずれかにおいて、
前記移動体は、
前記基体上を前記第１又は第２の方向の一方向にスライドする第１のスライド部と、
前記第１のスライド部上を、前記第１又は第２の方向の他方向にスライドする第２のスライド部と、
を含み、
前記入力手段は、
前記第１及び第２のスライド部を所与の中立点に位置を復帰させる復元力付与手段を含み、
前記シューティングディバイスは、
前記第２のスライド部に取り付けられたことを特徴とするゲーム装置。
【手続補正２】
【補正対象書類名】明細書
【補正対象項目名】０００７
【補正方法】変更
【補正の内容】
【０００７】
【課題を解決するための手段】
前記目的を達成するため、本発明のゲーム装置は、
少なくとも第１の方向及びこれと交差する第２の方向へ組み合わせて移動自在に形成されたキャラクタ移動用の入力手段と、
前記入力手段からの入力信号に基づき、ゲーム空間内のキャラクタ及び仮想カメラの少なくとも一方が前記第１及び第２の方向の組み合わせと対応する方向に移動するゲーム画面を演算し表示する処理手段と、
を含むことを特徴とする。
【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】
被観察体へ光照射するための光源と、
この光源からの光出力を可変調整する絞りと、
この絞りを可変駆動する絞り駆動回路と、
上記光源自体の明るさを変えるために光源電圧を制御する光源電圧制御回路と、
この光源電圧制御回路を制御し、通常では上記光源に一定の光源電圧を与え、撮像素子の受光量の検出に基づき、上記絞りが全開の状態でもこの撮像素子の受光量が不足すると判定される場合にのみ、上記光源電圧を上げるようにする制御手段と、を備えた電子内視鏡光量制御装置。
【手続補正２】
【補正対象書類名】明細書
【補正対象項目名】０００８
【補正方法】変更
【補正の内容】
【０００８】
【課題を解決するための手段】
上記目的を達成するために、本発明は、被観察体へ光照射するための光源と、この光源からの光出力を可変調整する絞りと、この絞りを可変駆動する絞り駆動回路と、上記光源自体の明るさを変えるために光源電圧を制御する光源電圧制御回路と、この光源電圧制御回路を制御し、通常では上記光源に一定の光源電圧を与え、撮像素子の受光量の検出に基づき、上記絞りが全開の状態でもこの撮像素子の受光量が不足すると判定される場合にのみ、上記光源電圧を上げるようにする制御手段と、を備えたことを特徴とする。
【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
被検体を収容し得る空間に静磁場を発生する静磁場発生手段と、前記静磁場に傾斜を与える傾斜磁場を発生する傾斜磁場発生手段と、前記被検体の生体組織を構成する原子の原子核に核磁気共鳴を起こさせる高周波パルスをある所定のパルスシーケンスで繰り返し印加する送信系と、前記核磁気共鳴により放出されるエコー信号を検出する受信系と、この受信系で検出したエコー信号を用いて画像再構成演算を行う信号処理系と、得られた画像を表示する手段と、前記傾斜磁場発生手段と前記送信系と前記受信系と前記信号処理系の動作を制御する制御系とを有した磁気共鳴イメージング装置において、
前記制御系は、所定の繰り返し時間で前記複数のスライスを第１の順序で繰り返し励起する第１の計測と、同一の繰り返し時間で前記複数のスライスを第１の順序と逆の順序で繰り返し励起する第２の計測とを各々別々に実行し、各スライスについてそれぞれ２種のデータを得、前記信号処理系により、これら各スライスの２種のデータを用い、方向の相反する血流からの信号が異なる画像を取得することを特徴とする磁気共鳴イメージング装置。
【請求項２】
被検体を収容し得る空間に静磁場を発生する静磁場発生手段と、前記静磁場に傾斜を与える傾斜磁場を発生する傾斜磁場発生手段と、前記被検体の生体組織を構成する原子の原子核に核磁気共鳴を起こさせる高周波パルスをある所定のパルスシーケンスで繰り返し印加する送信系と、前記核磁気共鳴により放出されるエコー信号を検出する受信系と、この受信系で検出したエコー信号を用いて画像再構成演算を行う信号処理系と、得られた画像を表示する手段と、前記傾斜磁場発生手段と前記送信系と前記受信系と前記信号処理系の動作を制御する制御系とを有した磁気共鳴イメージング装置において、
複数のスライスにより所定の領域を撮像するシーケンスを複数回行い、各シーケンスは複数スライスの励起順序を変えて行い、各シーケンスで得られたエコー信号を対応するスライス同士で差分処理し、差分処理したデータを再構成して所定の領域の画像を得ることを特徴とする磁気共鳴イメージング装置。
【請求項３】
被検体を収容し得る空間に静磁場を発生する静磁場発生磁石と、前記静磁場に傾斜を与える傾斜磁場を発生する傾斜磁場コイルと、前記被検体に対し高周波パルスを印加するとともに前記高周波パルスの印加により発生するエコー信号を検出する高周波コイルと、前記エコー信号を用いて画像再構成演算を行うＣＰＵと、再構成された画像を表示するディスプレイと、傾斜磁場及び高周波パルスを所定のパルスシーケンスで印加するよう制御するシーケンサとを有する磁気共鳴イメージング装置において、
前記シーケンサは、所定の領域を撮像するためスライス位置を順次移動させ、各スライスでは高周波パルスを印加することにより一つ若しくは複数のエコー信号を検出するシーケンスを実行すると共に各スライスの高周波パルスの印加が所望の時間間隔でなされるよう制御して、各スライス毎に流入する流体のエコー信号を検出する第１の計測と、スライス位置の移動を第１の計測におけるスライス位置の移動方向と逆方向に移動させて、第１の計測と同様にシーケンスを実行して流体のエコー信号を検出する第２の計測とを実行し、前記ＣＰＵは前記第１の計測と前記第２の計測の対応するスライス同士のデータもしくは画像を差分処理することを特徴とする磁気共鳴イメージング装置。
【請求項４】
前記各スライスはオーバーラップするよう選択されることを特徴とする請求項１ないし３のいずれか１項記載の磁気共鳴イメージング装置。
【請求項５】
前記各スライス毎の差分データもしくは画像を用いて２次元もしくは３次元の投影像を再度画像再構成演算することを特徴とする請求項１ないし４いずれか１項記載の磁気共鳴イメージング装置。
【手続補正書】
【提出日】平成17年2月1日(2005.2.1)
【手続補正１】
【補正対象書類名】明細書
【補正対象項目名】特許請求の範囲
【補正方法】変更
【補正の内容】
【特許請求の範囲】
【請求項１】
Ｘ線管と，Ｘ線管から放出されるＸ線ビームのスライス方向の開口幅を規制してファンビーム化する第１のコリメータと，Ｘ線管と対向して配置されファンビーム化されたＸ線ビームを検出する多チャンネルの放射線検出器と，Ｘ線ビームのスライス方向の位置ずれを検出するＸ線ビーム位置検出手段と，Ｘ線ビーム位置検出手段の出力に基づいてＸ線ビームのスライス方向の位置ずれを補正するＸ線ビーム位置ずれ補正手段を具備するＸ線ＣＴ装置において、
前記Ｘ線管と前記第１のコリメータとの間に第２のコリメータを有し、
前記第２のコリメータのスライス方向のＸ線開口は、前記第１のコリメータのスライス方向のＸ線開口を含んでこれより広くされ、
前記Ｘ線ビーム位置検出手段は、前記第１のコリメータと前記第２のコリメータとの間に配置されて前記第１のＸ線コリメータを通過しないＸ線を用いて前記位置ずれ検出を行うことを特徴とするＸ線ＣＴ装置。
【手続補正２】
【補正対象書類名】明細書
【補正対象項目名】０００８
【補正方法】変更
【補正の内容】
【０００８】
【課題を解決するための手段】
上記目的を達成するため、本発明のＸ線ＣＴ装置は、Ｘ線管と，Ｘ線管から放出されるＸ線ビームのスライス方向の開口幅を規制してファンビーム化する第１のコリメータと，Ｘ線管と対向して配置されファンビーム化されたＸ線ビームを検出する多チャンネルの放射線検出器と，Ｘ線ビームのスライス方向の位置ずれを検出するＸ線ビーム位置検出手段と，Ｘ線ビーム位置検出手段の出力に基づいてＸ線ビームのスライス方向の位置ずれを補正するＸ線ビーム位置ずれ補正手段を具備するＸ線ＣＴ装置において、前記Ｘ線管と前記第１のコリメータとの間に第２のコリメータを有し、前記第２のコリメータのスライス方向のＸ線開口は、前記第１のコリメータのスライス方向のＸ線開口を含んでこれより広くされ、前記Ｘ線ビーム位置検出手段は、前記第１のコリメータと前記第２のコリメータとの間に配置されて前記第１のＸ線コリメータを通過しないＸ線を用いて前記位置ずれ検出を行う（請求項１）。
【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】
Ｘ線を照射するＸ線管装置と、前記Ｘ線管装置に電源を供給する電源装置と前記電源装置を制御する制御部を収容した筐体と、を備えた移動形Ｘ線装置において、前記筐体の上面に形成される凸状部を備え、
前記凸状部は、リモートコントロール操作器から放射されるＸ線放射信号を多数の方向から受信可能とした受信器と、この受信器によって受信されたＸ線放射信号に基づいて前記Ｘ線管装置からＸ線照射されている状態を多方向から視認可能なＸ線放射表示灯と、を具備したことを特徴とする移動形Ｘ線装置。
【手続補正書】
【提出日】平成17年1月11日(2005.1.11)
【手続補正１】
【補正対象書類名】明細書
【補正対象項目名】特許請求の範囲
【補正方法】変更
【補正の内容】
【特許請求の範囲】
【請求項１】
回転する機構と静止している機構を有し、両者間の情報を光信号で伝送する光信号伝送手段を有するＸ線ＣＴ装置であって、前記光信号伝送手段の劣化を定量的に測定する手段を備えたことを特徴とするＸ線ＣＴ装置。
【請求項２】
前記光信号伝送手段の劣化を測定した結果、該測定値が基準値以下になると前記光信号伝送手段が劣化していると判定する手段と、前記光信号伝送手段が劣化していると判定されると使用している光信号伝送路から切り替えられる予備光信号伝送路と、該予備光信号伝送路に切り替えられるとこれを報知する手段を備えていることを特徴とする請求項１に記載のＸ線ＣＴ装置。
【請求項３】
前記報知する手段は、測定値が基準値以下で満足していない場合は、予備の通信路に変更する手段、あるいは、表示装置に警告を表示する手段、あるいは、表示装置に警告を表示する手段、あるいは、インターネットを経由して自動でメーカのサービス係に連絡を行う手段であることを特徴とする請求項２に記載のＸ線ＣＴ装置。
【手続補正２】
【補正対象書類名】明細書
【補正対象項目名】００１０
【補正方法】変更
【補正の内容】
【００１０】
本発明は、回転する機構と静止している機構を有し、両者間の情報(信号)を光信号で伝送する光信号伝送手段を有するＸ線ＣＴ装置であって、前記光信号伝送手段の劣化を定量的に測定する手段と、該測定値が基準値(しきい値)以下になると前記光信号伝送手段が劣化していると判定する手段と、前記光信号伝送手段が劣化していると判定されると使用している光信号伝送路(チャンネル)から切り替えられる予備光信号伝送路（予備チャンネル）と、該予備光信号伝送路（予備チャンネル）に切り替えられるとこれを報知する手段を備えている。
【手続補正書】
【提出日】平成17年7月15日(2005.7.15)
【手続補正１】
【補正対象書類名】明細書
【補正対象項目名】０００７
【補正方法】変更
【補正の内容】
【０００７】
アルドール反応の範囲内で使用したアルデヒドから生じる副生成物は中でも、
○  使用したアルデヒドの分岐した異性体、
○  アルデヒドと同じ炭素数を有する直鎖状のまたは枝分かれしたアルコール、
○  使用したアルデヒドよりも１つ炭素原子が多い直鎖状のまたは枝分かれしたアルコール、
○  アルデヒドと同じ炭素数の環状エステル（ラクトン類）、
○  塩、特にアルカリ金属塩として存在する、アルデヒドと同じ炭素数のカルボン酸並びに相応する遊離のカルボン酸、
○  アルドール反応からのα、β−不飽和アルデヒドを水素化することによって生じるアルデヒド、
○  アルドール反応および続く水素化反応から得られる所望のアルコールよりも４つ炭素原子数が多い環状ラクトンおよび環状ジオール、
○  所望のアルコールおよび相応するカルボン酸から得られるカルボン酸エステル並びに
○  所望のアルコールおよび原料アルデヒドと同じ炭素原子数のカルボン酸とから得られるカルボン酸エステル、
更に副生成物として僅かな量で
○  アルドール反応および続く水素化反応から得られる所望のアルコールよりも１つまたは２つの炭素原子が少ないか１〜４つ炭素原子が多い枝分かれした別なアルコール、アルデヒド、エーテル、ラクトンおよび酸
が存在する。
【手続補正２】
【補正対象書類名】明細書
【補正対象項目名】００３０
【補正方法】変更
【補正の内容】
【００３０】
本発明の方法では抽出剤として分子中に８〜１６個の炭素原子を持つアルコールを使用する。このものは直鎖状または枝分かれし、また飽和または不飽和である。純粋なアルコールを使用することは必須ではない。アルコールの異性体混合物または様々な分子量のアルコールの混合物も適する。２−エチルヘキサノール、３, ５, ５- トリメチルヘキサノール、イソオクタノール、ノナノール、デカノールおよびイソデカノール並びに異性体オクタノール、ノナノールおよびデカノールの混合物が適することが確認されている。
【手続補正書】
【提出日】平成17年1月26日(2005.1.26)
【手続補正１】
【補正対象書類名】明細書
【補正対象項目名】０００３
【補正方法】変更
【補正の内容】
【０００３】
上記美容具本体１は、平面視において略円形状をなしているとともに、その表面が陥入して凹陥部１１が形成されており、周縁部１２からはみ出して耳鍔部１３，１３が延出形成されている。このような美容具本体１は、たとえば比較的硬質な樹脂を用いた金型成形によって形成されている。上記表面作用部１０は、たとえばサンドペーパなどが上記凹陥部１１に貼着されることによって形成されている。また、上記帯状部材２は、たとえばビニールなどによって形成されて可撓性を有するものとされており、その両端部２０，２０が、それぞれ上記耳鍔部１３，１３に設けられた支軸１３ａ，１３ａにリベット３，３などを用いて連結されている。このように、上記美容具Ｘでは、上記帯状部材２が連結されて上記美容具本体１の裏面側にループが形成されており、このループに手指を差し込んで上記表面作用部１０を対象部分に押圧移動させて、無駄毛処理あるいは角質処理を行うことができるように構成されている。
【手続補正２】
【補正対象書類名】明細書
【補正対象項目名】０００８
【補正方法】変更
【補正の内容】
【０００８】
上記構成では、上記美容具本体部の裏面側に手指を挿通するためのループを形成するに当たって、従来のように帯状の部材を別途形成する必要はなく、たとえば金型成形などによって上記美容具本体部と上記ループ形成手段とを同時かつ一体的に形成することができる。また、上記ループ形成手段が上記美容具本体部に一体的に形成されていることから、従来のようにループ形成用の帯状部材を上記美容具本体部に連結する必要がなくなり、またこれにともなってリベットなどの連結用の部材を別途用意する必要もなくなる。したがって、上記のように上記ループ形成手段を上記美容具本体部に一体的に樹脂成形することで、上記美容具を製造する際の作業効率が向上でき、製造コストの低減を図ることができる。
【手続補正３】
【補正対象書類名】明細書
【補正対象項目名】００１０
【補正方法】変更
【補正の内容】
【００１０】
なお、上記帯状部の先端部と上記連結部とを連結する方法としては、上記帯状部の先端部に貫通口を形成する一方、上記連結部を突起状とし、この突起状の連結部を上記貫通口に係合ないし嵌合させる方法などが考えられる。また、これとは逆に、上記帯状部の先端部に突起状部ないしフック状部を設ける一方、上記連結部を貫通状とし、上記帯状部の先端部を上記連結部に係合ないし嵌合させる方法であってもよく、その連結方法は適宜設計すればよい。このような係合ないし嵌合によって行われる上記帯状部と上記美容具本体部との連結は、美容具を購入した使用者が使用時において各自が行ってもよいし、商品として提供する前に予め製造者が行っておいてもよい。
【手続補正４】
【補正対象書類名】明細書
【補正対象項目名】００１１
【補正方法】変更
【補正の内容】
【００１１】
また、上記ループ成形手段としては、基端部において上記美容具本体部に一体化されて上記美容具本体部から延出する一対の第１帯状部および第２帯状部を有するものも考えられ、これらの帯状部の先端部どうしが連結されてループが形成されるように構成することもできる。もちろん、上記各帯状部の先端部どうしを連結する方法も、上述した方法や、その他の方法を適宜採用すればよい。
【手続補正５】
【補正対象書類名】明細書
【補正対象項目名】００１９
【補正方法】変更
【補正の内容】
【００１９】
図２および図３に良く表れているように、上記帯状部２は、その基端部２０ａにおいて上記美容具本体部１と一体化されており、上記耳鍔部１３ａに形成された切欠部１４ａから延出するようにして形成されている。上記帯状部２は、両端部２０ａ，２０ｂが細幅とされているとともに、中央部２２が幅広な形状とされている。そして、上記帯状部２の基端部２０ａ、および先端部２０ｂと中央部２２との間の部分は、厚みが小さくされており、この部位において上記帯状部２が積極的に曲げられるようになされている。なお、幅広の中央部２２は、たとえば図面に表したように上下に貫通するハート形２２ａなどを形成し、これによってオシャレ感を向上させてもよく、その形状は適宜変更可能である。
【手続補正６】
【補正対象書類名】明細書
【補正対象項目名】００２０
【補正方法】変更
【補正の内容】
【００２０】
また、上記帯状部２の先端部２０ｂには、貫通口２１が形成されており、図３および図４に良く表れているように上記貫通口２１が上記突起１５と係合されるようになされている。すなわち、上記貫通口２１を上記突起１５と係合することで上記した厚みの小さい部位が積極的に曲げられて、上記各切欠部１４ａ，１４ｂを上記美容具本体部１の裏面側において掛け渡すようにしてループが形成される。このように、上記帯状部２が、上記切欠部１４ｂに形成された突起１５とともにループ形成手段を構成している。
【手続補正７】
【補正対象書類名】明細書
【補正対象項目名】００２３
【補正方法】変更
【補正の内容】
【００２３】
図５に示すように、上記のように形成された美容具Ａでは、上記ループ内に使用者が手指９を挿通し、この状態において上記美容具本体部１を操作して上記表面作用部１０を対象部分に押圧移動させることによって無駄毛処理あるいは角質処理が行われる。ところで、無駄毛処理あるいは角質処理の対象となる人間の手足などの表面は、平面ではなく曲面あるいは凹凸面である。このような部位に上記表面作用部１０を押圧した場合には、上記美容具本体部１が軟質系樹脂によって形成されていることから、その押圧力によって押圧部位の形状に対応して変形することとなる。このとき、上記美容具本体部１の表面に貼着されたサンドペーパも上記美容具本体部１の変形に対応して変形する。このため、処理対象となる部位が平面でなくとも、その形状に対応して上記表面作用部１０が変形することとなり、平面でない部分の無駄毛や角質処理を容易かつ確実に行うことができる。
【手続補正８】
【補正対象書類名】明細書
【補正対象項目名】００２７
【補正方法】変更
【補正の内容】
【００２７】
図６に示すように、本実施形態に係る美容具Ｂの基本的な構成、とくに美容具本体部１の構成は、上述した第１の実施形態において記載されたものと略同じである。本実施形態の美容具Ｂが、第１の実施形態の美容具Ａと大きく相違する点は、ループ形成手段の構成である。
【手続補正９】
【補正対象書類名】明細書
【補正対象項目名】００３０
【補正方法】変更
【補正の内容】
【００３０】
このような構成の美容具Ｂにおいても、上述した第１の実施形態に記載した美容具Ａと同様に、ループ形成手段が上記美容具本体に一体的に形成されていることから、上述した第１の実施形態において記載した効果を享受することができるのはいうまでもない。
【手続補正１０】
【補正対象書類名】図面
【補正対象項目名】図１
【補正方法】変更
【補正の内容】
【図１】
1999244033.tif 000001
【手続補正１１】
【補正対象書類名】図面
【補正対象項目名】図２
【補正方法】変更
【補正の内容】
【図２】
1999244033.tif 000002
【手続補正書】
【提出日】平成16年7月13日(2004.7.13)
【手続補正１】
【補正対象書類名】明細書
【補正対象項目名】００１８
【補正方法】変更
【補正の内容】
【００１８】
上記第２の音楽学習装置及び第２の音楽学習方法では、採点手段は、楽譜中の全音休符記号の総数Ａの全てが正解であったときの満点の点数をＢとしたとき、１個の音休符記号の得点をＢ／Ａとし、正解又は誤りの記号数に応じて点数を計算する。なお、計算の過程又は結果において数値が小数点になる又は割り切れない場合には、四捨五入等の適当な処理を行なって整数の点数とすることが好ましい。
【手続補正２】
【補正対象書類名】明細書
【補正対象項目名】００４８
【補正方法】変更
【補正の内容】
【００４８】
次いで、「中止」ボックス３３がクリックされたか否かを判定し（ステップＳ４０）、「中止」ボックス３３がクリックされたときには強制的に試験を中止し、０点の採点を行ない（ステップＳ４９）メニュー画面表示へ戻る（ステップＳ１１）。
【手続補正３】
【補正対象書類名】明細書
【補正対象項目名】００４９
【補正方法】変更
【補正の内容】
【００４９】
それ以外のときには、出題に対する採譜が終了したことを示す「答を書き終わりました」ボックス４０がクリックされたか否かを判定し（ステップＳ４１）、「答を書き終わりました」ボックス４０がクリックされていないときには、休止期間の残り時間をパスするための「次をお願いします」ボックス３９がクリックされたか否かを判定し（ステップＳ４２）、「次をお願いします」ボックス３９がクリックされたときにはタイマを強制的にリセットする（ステップＳ４６）。そして、予め設定されている演奏手順の全ての演奏が終了し出題が完了したか否かを判定する（ステップＳ４４）。ステップＳ４２にて「次をお願いします」ボックス３９がクリックされていないときには、タイマが０秒になったか否かを判定し（ステップＳ４３）、タイマが０秒になったときにステップＳ４４へ進み、出題が完了したか否かを判定する。ステップＳ４３にてタイマが０秒になっていないときにはステップＳ４０へ戻り、休止期間におけるタイマのカウントダウンを継続しつつ先のステップＳ４０〜Ｓ４３の処理を繰り返す。
【手続補正書】
【提出日】平成16年2月3日(2004.2.3)
【手続補正１】
【補正対象書類名】明細書
【補正対象項目名】発明の名称
【補正方法】変更
【補正の内容】
【発明の名称】電気光学装置、ディスプレイ、テレビ、デジタル放送対応テレビ及び電子機器


【手続補正２】
【補正対象書類名】明細書
【補正対象項目名】特許請求の範囲
【補正方法】変更
【補正の内容】
【特許請求の範囲】
【請求項１】
第１の基板と、第２の基板と、前記第１の基板と前記第２の基板の間に設けられた電気光学変調層とを有し、
前記第１の基板上に、画素マトリクス回路、ソース駆動回路及びゲイト駆動回路を構成する複数のトランジスタと、ロジック回路を構成する１個乃至複数個のＩＣチップとが設けられ、
前記第１の基板と前記第２の基板は、前記第１の基板が露出するように、１つの側面を除く全ての側面を互いに揃えて貼り合わされており、
前記第１の基板の露出した領域に前記ＩＣチップが設けられることを特徴とする電気光学装置。
【請求項２】
第１の基板と、第２の基板と、前記第１の基板と前記第２の基板の間に設けられた電気光学変調層とを有し、
前記第１の基板上に、画素マトリクス回路、ソース駆動回路及びゲイト駆動回路を構成する複数のトランジスタと、ロジック回路を構成する１個乃至複数個のＩＣチップと、ＦＰＣとが設けられ、
前記第１の基板と前記第２の基板は、前記第１の基板が露出するように、１つの側面を除く全ての側面を互いに揃えて貼り合わされており、
前記第１の基板の露出した領域に前記ＩＣチップと前記ＦＰＣが設けられることを特徴とする電気光学装置。
【請求項３】
請求項１又は請求項２において、前記ＩＣチップはＡ／Ｄコンバータ、ＶＲＡＭ、γ補正＋極性反転回路、Ｄ／Ａコンバータ、クロックジェネレータ、制御マイコンを含むことを特徴とする電気光学装置。
【請求項４】
請求項１又は請求項２において、前記ＩＣチップは増幅回路、γ補正＋極性反転回路、サンプルホールド回路、バッファアンプ、クロックジェネレータ、制御マイコンを含むことを特徴とする電気光学装置。
【請求項５】
請求項１又は請求項２において、前記ＩＣチップはＶＲＡＭ、γ補正回路、クロックジェネレータ、制御マイコンを含むことを特徴とする電気光学装置。
【請求項６】
請求項１又は請求項２において、前記ＩＣチップはＤＳＰ、フラッシュメモリ、ＶＲＡＭ、γ補正回路、クロックジェネレータ、制御マイコンを含むことを特徴とする電気光学装置。
【請求項７】
請求項１又は請求項２において、前記ＩＣチップはＹＣ分離回路、ＲＧＢ分離回路を含むことを特徴とする電気光学装置。
【請求項８】
請求項１又は請求項２において、前記ＩＣチップはＶＳＢ／ＱＡＭ復調回路、トランスポートデコーダ、ＭＰＥＧ２（デコーダ）、フォーマット変換回路を含むことを特徴とする電気光学装置。
【請求項９】
請求項１又は請求項２において、前記第１の基板はガラス基板であることを特徴とする電気光学装置。
【請求項１０】
請求項１又は請求項２において、前記ＩＣチップはＣＯＧ方式で取り付けられていることを特徴とする電気光学装置。
【請求項１１】
請求項１又は請求項２において、前記ＩＣチップはＴＡＢ方式で取り付けられていることを特徴とする電気光学装置。
【請求項１２】
請求項１乃至請求項１１のいずれか一項において、前記電気光学変調層は液晶層であることを特徴とする電気光学装置。
【請求項１３】
請求項１乃至請求項１１のいずれか一項において、前記電気光学変調層はＥＬ材料を含む層であることを特徴とする電気光学装置。
【請求項１４】
請求項１乃至請求項１３のいずれか一項に記載の前記電気光学装置を用いたディスプレイ。
【請求項１５】
請求項１乃至請求項１３のいずれか一項に記載の前記電気光学装置を用いたテレビ。
【請求項１６】
請求項１乃至請求項１３のいずれか一項に記載の前記電気光学装置を用いたデジタル放送対応テレビ。
【請求項１７】
請求項１乃至請求項１３のいずれか一項に記載の前記電気光学装置を用いた電子機器。
【手続補正書】
【提出日】平成16年7月13日(2004.7.13)
【手続補正１】
【補正対象書類名】明細書
【補正対象項目名】特許請求の範囲
【補正方法】変更
【補正の内容】
【特許請求の範囲】
【請求項１】
【請求項１】  印刷データを複数の用紙に出力し印刷を実行する印刷処理システムであり、印刷要求を行うクライアント装置と、印刷要求に従って印刷出力を実行する印刷装置と、前記印刷装置の制御を行う印刷制御装置とを有する印刷処理システムにおいて、
前記クライアント装置は、印刷要求に係る複数のデータの各々の属性データとして出力順識別属性データを設定する属性設定部と、
前記属性設定部において出力順識別属性データの設定された属性データを印刷要求に伴い出力する要求発行部とを有し、
前記印刷制御装置は前記出力順識別属性データを参照して、前記印刷に係る複数のデータの並び替えを実行する順序生成部を有し、
前記印刷装置は、前記印刷制御装置の制御のもとに前記出力順識別属性データに従った順番に印刷出力することを特徴とする印刷処理システム。
【請求項２】
前記属性設定部において設定される前記出力順識別属性データは、予め各データに設定済みの属性データの選択指定によって構成されるデータであり、該予め各データに設定済みの属性データおよび該属性データについての昇順あるいは降順の指定に基づいて出力順の定義がなされる構成であることを特徴とする請求項１記載の印刷処理システム。
【請求項３】
前記出力順識別属性データは複数の異なる属性データによって構成され、該複数の異なる属性データ間の優先順位に従って出力順の設定が実行されることを特徴とする請求項２記載の印刷処理システム。
【請求項４】
前記属性設定部において設定される前記出力順識別属性データは、ユーザ定義によって付加されるユーザ定義属性データであり、該ユーザ定義属性データに基づいて、出力順が定義される構成であることを特徴とする請求項１記載の印刷処理システム。
【請求項５】
前記印刷制御装置は予め設定された出力順を定義したデフォルト値を有し、該デフォルト値に応じた出力順設定が実行されることを特徴とする請求項１記載の印刷処理システム。
【請求項６】
前記印刷処理システムは、印刷データを記憶保持するファイルサーバを有し、前記クライアント装置から出力された印刷要求に従って選択されたデータが前記ファイルサーバから抽出され、該抽出データの印刷が前記印刷装置において、前記出力順識別属性データによって設定された出力順に実行されることを特徴とする請求項１乃至５いずれかに記載の印刷処理システム。
【請求項７】
前記印刷装置において印刷出力されたデータの出力順情報は、前記印刷制御装置から前記クライアント装置に送付され、前記クライアント装置中の付属ディスプレイに前記出力順情報が表示される構成を有することを特徴とする請求項１乃至６いずれかに記載の印刷処理システム。
【請求項８】
前記印刷装置において印刷出力されたデータの出力順情報は、前記印刷装置によって出力される出力用紙に表示される構成を有することを特徴とする請求項１乃至６いずれかに記載の印刷処理システム。
【請求項９】
印刷データを複数の用紙に出力し印刷を実行する印刷処理方法であり、印刷要求を行うクライアント装置と、印刷要求に従って印刷出力を実行する印刷装置と、前記印刷装置の制御を行う印刷制御装置とを有する印刷処理システムにおける印刷処理方法において、
前記クライアント装置において、印刷要求に係る複数のデータの各々の属性データとして出力順識別属性データを設定する属性設定ステップと、
前記属性設定ステップにおいて出力順識別属性データの設定された属性データを印刷要求に伴い出力する要求発行ステップと、
前記印刷制御装置において、前記出力順識別属性データを参照して、前記印刷に係る複数のデータの並び替えを実行する順序生成ステップと、
前記印刷装置において、前記印刷制御装置の制御のもとに前記出力順識別属性データに従った順番に印刷出力するステップと、
を有することを特徴とする印刷処理方法。
【請求項１０】
前記属性設定ステップは、予め各データに設定済みの属性データを選択指定するステップと、該予め各データに設定済みの属性データおよび該属性データについての昇順あるいは降順の指定を実行するステップとを有し、複数データの出力順は、前記両ステップによって定義されることを特徴とする請求項９記載の印刷処理方法。
【請求項１１】
前記属性設定ステップは、ユーザ定義によってユーザ定義属性データを付加するステップであり、複数データの出力順は、前記ユーザ定義属性データに基づいて定義される構成であることを特徴とする請求項９記載の印刷処理方法。
【請求項１２】
前記印刷制御装置は予め設定された出力順を定義したデフォルト値を有し、該デフォルト値に応じた出力順設定が実行されることを特徴とする請求項９記載の印刷処理方法。
【請求項１３】
印刷データを複数の用紙に出力し印刷を実行する印刷処理方法であり、
印刷要求を行うクライアント装置と、印刷要求に従って印刷出力を実行する印刷装置と、前記印刷装置の制御を行う印刷制御装置とを有する印刷処理システムにおける印刷処理方法において、
印刷要求に係る複数のデータの各々の属性データとして出力順識別属性データを設定する属性設定ステップと、
前記出力順識別属性データを参照して、前記印刷に係る複数のデータの並び替えを実行する順序生成ステップと、
前記順序生成ステップにおいて並び替えられた順序で前記印刷に係る複数のデータを出力するように印刷要求を行う要求発行ステップと、
前記出力順識別属性データに従った順番に印刷出力するステップと、
を有することを特徴とする印刷処理方法。
【手続補正２】
【補正対象書類名】明細書
【補正対象項目名】００２１
【補正方法】変更
【補正の内容】
【００２１】
さらに、本発明の印刷処理方法において、印刷制御装置には予め設定された出力順を定義したデフォルト値を有し、該デフォルト値に応じた出力順設定が実行されることを特徴とする。
さらに、本発明の印刷処理方法において、印刷データを複数の用紙に出力し印刷を実行する印刷処理方法であり、印刷要求を行うクライアント装置と、印刷要求に従って印刷出力を実行する印刷装置と、前記印刷装置の制御を行う印刷制御装置とを有する印刷処理システムにおける印刷処理方法において、印刷要求に係る複数のデータの各々の属性データとして出力順識別属性データを設定する属性設定ステップと、前記出力順識別属性データを参照して、前記印刷に係る複数のデータの並び替えを実行する順序生成ステップと、前記順序生成ステップにおいて並び替えられた順序で前記印刷に係る複数のデータを出力するように印刷要求を行う要求発行ステップと、前記出力順識別属性データに従った順番に印刷出力するステップとを有することを特徴とする。